(57)【要約】【課題】浴槽底面を撓ませることなく高めることができ、良好な介護姿勢で介護作業ができるとともに、折り畳みができ運搬性や組立性、安定性に優れるエア式浴槽を提供すること。【解決手段】複数段の枠状チューブ１４で構成された浴槽部１１と、この浴槽部１１を支えるチューブ径Ｄ２が大きい少なくとも1段の枠状チューブ１５で構成された架台部１２と、この架台部１２と前記浴槽部１３との間に設けられ少なくとも水が入る部分を支持する折り畳み可能な分割式底面板１３とを備えている。  これにより、浴槽底面１１ａを架台部１２の高さに設置して撓ませることなく安定した状態で支えるようにする。  また、排水性を確保し、介護作業に適した膝立ち姿勢で介護できるようにするとともに、分割式底面板１３を折り畳むことで、これまでのエア式浴槽と同様の運搬性や組立性を確保する。【選択図】図３
2007195862.tif 000002
【特許請求の範囲】
【請求項１】
複数段の枠状チューブで構成された浴槽部と、この浴槽部を支えチューブ径が前記浴槽部の枠状チューブのチューブ径より大きい少なくとも1段の枠状チューブで構成され当該枠状チューブの外面を前記浴槽部の枠状チューブの外面とほぼ面一に構成してなる架台部と、この架台部と前記浴槽部との間に設けられ少なくとも水が入る部分を支持する底面板とを備えることを特徴とするエア式浴槽。
【請求項２】
前記底面板が折り畳み可能な分割式で構成されていることを特徴とする請求項1記載のエア式浴槽。
【請求項３】
前記浴槽部に仕切り部を設けて身体槽と洗髪槽との２槽構造とするとともに、当該洗髪槽内に水圧および頭部を支持する支持用チューブを設けたことを特徴とする請求項１または２記載のエア式浴槽。
【請求項４】
前記浴槽部または前記身体槽にシートによるインナ浴槽部材を着脱可能に設けたことを特徴とする請求項１〜３のいずれかに記載のエア式浴槽。
【発明の詳細な説明】
【技術分野】
【０００１】
この発明は、エア式浴槽に関し、訪問介護などのため持ち運んで入浴させるのに好適なものである。
【背景技術】
【０００２】
従来、訪問看護などのため持ち運んで入浴させるための浴槽としては、大きく２つの形式のものが用いられている。
【０００３】
その一つは、FRPなどの合成樹脂で形成した浴槽を２分割したものであり、剛性が高く、耐久性に優れるものの嵩張るため、運搬性や組立性に劣るとともに、高価である。
【０００４】
他の一つは、エアチューブに空気を充填して膨張させることで浴槽を構成するエア式のものであり（特許文献１，２など参照）、重量が軽く、運搬などの際には、コンパクトに折り畳むことができ、運搬性や組立性に優れ、比較的安価であるものの、フロア上に設置して水（入浴用の温水を含む、以下同じ）を入れると、底面部から水を抜くことができず、排水性が悪く、しかも介護者が介護作業に良いとされている膝立ち姿勢で介護することができず、介護者の負担が大きくなる。
【０００５】
そこで、エア式の浴槽のフロア上に設置することによる問題を解消できるものとして軽量折り畳み架台と筒状層が複数段密着連結されたエア架台とを用いることで浴槽底面をフロア上より高く設置できるようにすることが提案されている（特許文献３）。
【特許文献１】特開平６−２９２６９６号公報
【特許文献２】特開２００１−２７５８７０号公報
【特許文献３】特開２００１−３４０４１８号公報
【発明の開示】
【発明が解決しようとする課題】
【０００６】
このような軽量折り畳み架台とエア架台を組み合わせることで、浴槽底面を高くできるとしているものの、広い底面を2箇所のエア架台で支えようとしても水を入れただけでエア架台以外の部分が大きく撓み、さらに入浴者を入浴させると撓みが増大し、使用水量が多く、安定した状態で入浴介護することができないという問題がある。
【０００７】
この発明は、上記従来技術の問題点に鑑みてなされたもので、浴槽底面を撓ませることなく高めることができ、良好な介護姿勢で介護作業ができるとともに、折り畳みができ運搬性や組立性、安定性に優れるエア式浴槽を提供しようとするものである。
【課題を解決するための手段】
【０００８】
上記従来技術の課題を解決するため、この発明の請求項１記載のエア式浴槽は、複数段の枠状チューブで構成された浴槽部と、この浴槽部を支えチューブ径が前記浴槽部の枠状チューブのチューブ径より大きい少なくとも1段の枠状チューブで構成され当該枠状チューブの外面を前記浴槽部の枠状チューブの外面とほぼ面一に構成してなる架台部と、この架台部と前記浴槽部との間に設けられ少なくとも水が入る部分を支持する底面板とを備えることを特徴とするものである。
【０００９】
また、この発明の請求項２記載のエア式浴槽は、請求項1記載の構成に加え、前記底面板が折り畳み可能な分割式で構成されていることを特徴とするものである。
【００１０】
さらに、この発明の請求項３記載のエア式浴槽は、請求項１または２記載の構成に加え、前記浴槽部に仕切り部を設けて身体槽と洗髪槽との２槽構造とするとともに、当該洗髪槽内に水圧および頭部を支持する支持用チューブを設けたことを特徴とするものである。
【００１１】
また、この発明の請求項４記載のエア式浴槽は、請求項１〜３のいずれかに記載の構成に加え、前記浴槽部または前記身体槽にシートによるインナ浴槽部材を着脱可能に設けたことを特徴とするものである。
【発明の効果】
【００１２】
この発明の請求項１記載のエア式浴槽によれば、複数段の枠状チューブで構成された浴槽部と、この浴槽部を支えチューブ径が前記浴槽部の枠状チューブのチューブ径より大きい少なくとも1段の枠状チューブで構成され当該枠状チューブの外面を前記浴槽部の枠状チューブの外面とほぼ面一に構成してなる架台部と、この架台部と前記浴槽部との間に設けられ少なくとも水が入る部分を支持する底面板とを備えているので、浴槽部の水が入る部分の下部に設けた底面板を枠状チューブで構成した架台部を介して支えることで、浴槽底面を架台部の高さに設置して撓ませることなく安定した状態で支えることができるとともに、底面板は架台部の枠状チューブの頂点で支えられて浴槽部の水が入る部分の荷重を一層安定した状態で支持することができるとともに、それぞれの枠状チューブを一体として組み立てることができ、しかも架台部の設置面積の増大を招くことなく浴槽部と同一にすることができる。  
これにより、排水性を確保でき、介護作業に適した膝立ち姿勢で介護することができる。
【００１３】
また、この発明の請求項２記載のエア式浴槽によれば、前記底面板が折り畳み可能な分割式で構成されているので、分割式底面板を折り畳むことで、これまでのエア式浴槽と同様の運搬性や組立性を確保することができる。
【００１４】
さらに、この発明の請求項３記載のエア式浴槽によれば、前記浴槽部に仕切り部を設けて身体槽と洗髪槽との２槽構造とするとともに、当該洗髪槽内に水圧および頭部を支持する支持用チューブを設けたので、身体槽と仕切った洗髪槽とで、独立して洗髪を行うとともに、身体槽で入浴させることができ、しかも支持用チューブで頭部の荷重と仕切り部に加わる水圧を支えることができる。
【００１５】
また、この発明の請求項４記載のエア式浴槽によれば、前記浴槽部または前記身体槽にシートによるインナ浴槽部材を着脱可能に設けたので、インナ浴槽部材を交換するだけで簡単に次の入浴に使用することができる。
【発明を実施するための最良の形態】
【００１６】
以下、この発明の一実施の形態について図面を参照して詳細に説明する。  
図１〜図４は、この発明のエア式浴槽の一実施の形態にかかり、図１は分解して示す概略斜視図、図２は底部分から見た部分概略斜視図、図３は縦断面図、図4は横断面図である。
【００１７】
このエア式浴槽１０は、空気膨張式のエアチューブで構成した浴槽部１１と、この浴槽部１１の浴槽底面１１aをフロア上から離した状態で支える空気膨張式のエアチューブで構成した架台部１２と、これら架台部１２と浴槽部１１との間に設けられ少なくとも浴槽部１１の水が入れられる部分の浴槽底面11aを支持する折り畳み可能な分割式底面板１３とを備えて構成されている。
【００１８】
空気膨張式のエアチューブで構成した浴槽部１１は、円形断面のエアチューブ1４aを浴槽としての空間を備えた長方形の枠状に形成した枠状チューブ１４を複数段（図示例では、３段）積層することで浴槽側壁１１bが構成されている。
【００１９】
この浴槽部１１の各枠状チューブ１４がそれぞれ円形断面の頂部同士を、接着剤で連結して一体化したり、平面ファスナなどで、損傷した場合に交換可能に連結されて一体化してある。
【００２０】
この浴槽部１１の下部に設けられる空気膨張式のエアチューブで構成される架台部１２は、円形断面のエアチューブ１５aを長方形の枠状に形成した枠状チューブ１５で構成され、この枠状チューブ１５の上面に底面シート１６が取り付けられて塞がれている。
【００２１】
そして、この架台部１２の枠状チューブ１５上に底面シート１６を介して浴槽部１１の最下段の枠状チューブ１４が載置されて浴槽部１１を支持するようになっており、架台部１２の枠状チューブ１５と浴槽部１１の枠状チューブ１４とが接着剤や平面ファスナなどで積層連結されて一体化され、浴槽部１１と底面シート１６とで底付きの容器としての浴槽を形成するようになっている。
【００２２】
このエア式浴槽１０では、架台部１２の枠状チューブ１５の外形寸法を、例えば浴槽部１１の枠状チューブ１４と同一寸法とし、チューブ径D2を浴槽部１１のチューブ径Ｄ１より大きくしてある。
【００２３】
これにより、架台部１２の枠状チューブ１５の内側寸法は小さくなり、架台部１２の枠状チューブ１５の頂部が浴槽部１１の枠状チューブ１４の頂部の内側に位置した状態で接着剤や平面ファスナなどで積層連結されて一体化してある。
【００２４】
そして、架台部１２の底面シート１６と枠状チューブ１５との間の少なくとも水を入れる部分の浴槽底部１１aに分割式底面板１３が配置され、その幅方向両側が上下の枠状チューブ１４、１５に挟まれるとともに、図２に示すように、長手方向の位置が底面シート１６に取り付けた支持ベルト１７で押さえられている。
【００２５】
このエア式浴槽１０では、浴槽部１１内に、シートを用いて立体容器形状に成形したインナ浴槽部材１８が装着され、このインナ浴槽部材１８に身体部１１ｃと洗髪部１１ｄを水密に仕切る仕切り部１８ａが設けてあり、それぞれの底部に排水口１８ｂ，１８ｃが取り付けてある。
【００２６】
このインナ浴槽部材１８を装着した浴槽部１１では、仕切り部１８ａで仕切られた身体を入浴させる身体部１１ｃにのみ水（温水も含む意（既に説明済み））を入れ、洗髪部１１ｄでは，流水を用いて洗髪を行うようにしてあり、身体部１１ｃの浴槽底部１１ａにのみ分割式底面板１３が配置され、例えば図示例のように３つに分割した板１３ａを折り畳むことができる間隔、例えば１００mm程度の間隔をあけて配置してある。
【００２７】
したがって、このエア式浴槽１０では、浴槽部１１のチューブ径Ｄ１よりも架台部１２のチューブ径Ｄ２を大きくすることで、分割式底面板１３の各板１３ａは、架台部１２の枠状チューブ１５の頂点で支えられて浴槽底部１１ａの荷重を支持することができ、確実に架台部１２に荷重を枠状チューブ１５全体に伝達して支持することができる。
【００２８】
また、分割式底面板１３を用いて浴槽底部１１ａを支持することで、架台部１２の高さだけフロア面から離れた位置に浴槽底部１１ａを配置しても水圧により浴槽底部１１ａが撓むことなどの支障なく、エア式浴槽１０を構成することができる。
【００２９】
これにより、架台部１２の高さを調整することで、入浴介護に適した膝立ち姿勢での介護作業を行うことが可能となる。
【００３０】
そして、洗髪部１１ｄ内には、仕切り部１８ａを介して身体部１１ｃ内の水圧を支持するとともに、入浴者の頭部を支える空気膨張式のエアチューブ１９ａで構成した支持用チューブ１９が設けてある。
【００３１】
このように構成したエア式浴槽１０では、浴槽部１１を構成する枠状チューブ１４および架台部１２を構成する枠状チューブ１５の図示しないエア供給口にエアコンプレッサを接続してエアを供給することで膨張させて浴槽部１１および架台部１２を組み立てる。このエア供給による組立は、例えば枠状チューブ１４，１５の圧力を予め設定しておき、設定圧力でコンプレッサを停止するようにすることで、自動化することができ、この間に他の入浴介護に必要な準備作業などを行うことができる。
【００３２】
こうして浴槽部１１および架台部１２の組立が完了した後、浴槽部１１内にシートで成形したインナ浴槽部材１８を装着し、浴槽部１１の最上部の枠状チューブ１４に平面ファスナ等で固定し、支持用エチューブ１９にもエアを供給し膨張させる。
【００３３】
この後、浴槽部１１の身体部１１ｃに水を入れ、入浴できる状態とし、支持用チューブ１９に頭を載せるようにして入浴させる。
【００３４】
また、洗髪を行う場合には、洗髪部１１ｄの底部の排水口１８ｃから排水できるようにしておき、シャワーなどを用いて流水で洗髪するようにする。
【００３５】
こうして入浴および洗髪が完了した後、身体部１１ｃおよび洗髪部１１ｄの底部の排水口１８ｂ、１８ｄから排水した後、インナ浴槽部材１８を取り外し、浴槽部１１および架台部１２の枠状チューブ１４，１５のエアを排気し、分割式底面板１３の各板１３ａの間隔を利用して折り畳むようにする。
【００３６】
このようなエア式浴槽１０によれば、浴槽部１１の下部に分割式底面板１３を設け、この分割式底面板１３を架台部１２の枠状チューブ１５で支える構造としたので、浴槽底部１１ａをフロアから架台部１２の高さ分だけ高くしても水圧や入浴者で撓むことなく、剛性を確保することができ、安定した状態で荷重を支持することができ、しかもこれまでのエア式の浴槽と同様に、折り畳むことができる。
【００３７】
また、架台部１２の枠状チューブ１５のチューブ径Ｄ２や、図５に示すように、枠状チューブ１５の積層数を２段などに変えることで、高さの調整が簡単にでき、膝立ち姿勢での介護に適する高さや立った姿勢での介護に適した高さのエア式浴槽１０Ａにすることもできる。
【００３８】
さらに、従来のエア式の架台とパイプ式の架台を組み合わせて用いるものに比べ、安定性に優れるとともに、構造がシンプルで組み立てや折り畳みが簡単にできる。
【００３９】
また、FRPなどの合成樹脂製の分割式の浴槽に比べ、運搬性に優れるとともに、組み立ても容易にできる。
【００４０】
なお、上記実施の形態では、浴槽部に仕切り部を備えるインナ浴槽部材を装着して身体槽と洗髪槽の２槽を備えるエア式浴槽を例に説明したが、仕切り部のないインナ浴槽部材を装着して1槽だけのエア式浴槽としてもよく、インナ浴槽部材を使用せず浴槽部だけで水密構造の浴槽を構成するようにしても良い。
【００４１】
また、上記実施の形態では、架台部の枠状チューブの上面に底面シートを設けたエア式浴槽を例に説明したが、底面シートを省き分割式底面板上にインナ浴槽部材を配置して浴槽を構成するようにしても良い。
【００４２】
さらに、上記実施の形態では、浴槽部の少なくとも水の入る部分に分割式底面板を設けたエア式浴槽を例に説明したが、分割式底面板に代え、一体の底面板を設けるようにしても良く、この場合には、底面板を装着したまま折り畳むようにしたり、取り外して折り畳むようにする。
【００４３】
また、架台部の枠状チューブは環状に連結したものに限らず、一部分のないものとし、配管などを通すスペースとするにしても良い。
【００４４】
さらに、枠状チューブ１４,１５や支持用チューブ１９を構成するエアチューブ１４ａ，１５ａ，１９ａの材料などについての説明を省略したが、通常、エアマットやエアボートに用いられている材料を用いることができる。
【図面の簡単な説明】
【００４５】
【図１】この発明のエア式浴槽の一実施の形態にかかる分解して示す概略斜視図である。
【図２】この発明のエア式浴槽の一実施の形態にかかる底部分から見た部分概略斜視図である。
【図３】この発明のエア式浴槽の一実施の形態にかかる縦断面図である。
【図４】この発明のエア式浴槽の一実施の形態にかかる横断面図である。
【図５】この発明のエア式浴槽の他の一実施の形態に横断面図である。
【符号の説明】
【００４６】
１０，１０Ａ      エア式浴槽
１１              浴槽部
１１ａ            浴槽底部
１１ｂ            浴槽側壁
１１ｃ            身体部
１１ｄ            洗髪部
１２              架台部
１３              分割式底面板
１３ａ            板
１４              枠状チューブ（浴槽部）
１４ａ            エアチューブ
１５              枠状チューブ（架台部）
１５ａ            エアチューブ
１６              底面シート
１７              支持ベルト
１８              インナ浴槽部材
１８ａ            仕切り部
１８ｂ、１８ｃ    排水口
１９              支持用チューブ
１９ａ            エアチューブ
Ｄ１              浴槽部のチューブ径
Ｄ２              架台部のチューブ径
【図１】
2007195862.tif 000003
【図２】
2007195862.tif 000004
【図３】
2007195862.tif 000005
【図４】
2007195862.tif 000006
【図５】
2007195862.tif 000007